(57)【要約】【課題】ミストの乾燥ムラや焼成ムラを抑制し、密度のばらつきが抑えられた粒子を簡便に製造可能な噴霧乾燥装置又は噴霧熱分解装置を提供すること。【解決手段】噴霧熱分解装置１０又は噴霧乾燥装置３０は、加熱炉１を備え、加熱炉１の端部には、ノズル２が配置されている。加熱炉１の端面には、脱着可能な一枚のプレート３を備えている。プレート３には、ノズルを装着するための複数のノズルホルダ設置用穴４が設けられている。ノズルホルダ設置用穴４には、ノズルホルダ５又は蓋部品６が装着されている。ノズルホルダ５内には、１又は２以上のノズル２が設置されている。【選択図】図１
2020049436.tif 000002
【特許請求の範囲】
【請求項１】
加熱炉と、加熱炉の端部にノズルを配置した噴霧熱分解装置又は噴霧乾燥装置であって、
加熱炉の端面に脱着可能な一枚のプレートを備え、
プレートには、ノズルを装着するための複数のノズルホルダ設置用穴が設けられており、
ノズルホルダ設置用穴には、ノズルホルダ又は蓋部品が装着され、
ノズルホルダ内には、１又は２以上のノズルが設置されている、
噴霧熱分解装置又は噴霧乾燥装置。
【請求項２】
ノズルホルダ内のノズル設置数が１〜４基である、請求項１記載の装置。
【請求項３】
ノズル１基当たりの被噴霧液体の流量が１〜２００Ｌ／ｈである、請求項１又は２記載の装置。
【請求項４】
中空粒子を製造するための装置である、請求項１〜３のいずれか１項に記載の装置。
【発明の詳細な説明】
【技術分野】
【０００１】
本発明は、噴霧熱分解装置又は噴霧乾燥装置に関する。
【背景技術】
【０００２】
微粒子の製造方法として内燃式の噴霧熱分解法を活用した製造装置が使用されている。内燃式の噴霧熱分解装置は、例えば、原料溶液をノズルから噴霧してミスト化（液滴化）し、このミストをキャリアガスによって加熱炉の内部に供給し、バーナーから生成された燃焼ガスを熱源としてミストを加熱することで乾燥又は焼成する装置である。このような装置として、ノズル１基を備える噴霧熱分解装置が知られている（特許文献１）。また、複数基のノズルを多重列同心円上に配置した噴霧乾燥装置も提案されている（特許文献２、３）。
【先行技術文献】
【特許文献】
【０００３】
【特許文献１】特開２０１３−２２０９６７号公報
【特許文献２】特開昭６０−１３７４０１号公報
【特許文献３】特開平１１−１９７５５７号公報
【発明の概要】
【発明が解決しようとする課題】
【０００４】
従来のノズル１基を備える噴霧熱分解装置や噴霧乾燥装置を用いて大量にミストを噴霧すると、ミストはノズルから円錐状に噴霧されるため、ミスト濃度が高くなり、ミスト中心部が熱を受け難くなる。その結果、ミストに乾燥ムラや焼成ムラが発生しやすくなり、得られた粒子は密度のばらつきが大きくなることが判明した。このような問題に対し、複数基のノズルを使用して噴霧すれば、ノズル１基当たりのミスト濃度を低く抑えられるため、乾燥ムラや焼成ムラを抑制できると本発明者らは推察したが、従来の複数基のノズルを有する噴霧乾燥装置は、いずれも構造が複雑であり、ノズルに不良が発生したときに交換が難しく、交換作業に多大な労力と時間を要するため、実用的でない。
本発明の課題は、ミストの乾燥ムラや焼成ムラを抑制し、密度のばらつきが抑えられた粒子を簡便に製造可能な噴霧熱分解装置又は噴霧乾燥装置を提供することにある。
【課題を解決するための手段】
【０００５】
本発明者らは、上記課題に鑑み検討した結果、ノズルユニット部材であるプレートに複数のノズルホルダ設置用穴を設け、ノズルホルダ設置用穴にノズルホルダを装着し、ノズルホルダ内に１又は２以上のノズルを設置することで、乾燥ムラ及び焼成ムラの発生や、粒子の密度のばらつきが抑えられ、またノズルの交換等の保守点検を容易に行うことの可能な噴霧熱分解装置又は噴霧乾燥装置が得られることを見出した。
【０００６】
すなわち、本発明は、次の〔１〕〜〔４〕を提供するものである。
〔１〕加熱炉と、加熱炉の端部にノズルを配置した噴霧熱分解装置又は噴霧乾燥装置であって、
加熱炉の端面に脱着可能な一枚のプレートを備え、
プレートには、ノズルを装着するための複数のノズルホルダ設置用穴が設けられており、
ノズルホルダ設置用穴には、ノズルホルダ又は蓋部品が装着され、
ノズルホルダ内には、１又は２以上のノズルが設置されている、
噴霧熱分解装置又は噴霧乾燥装置。
〔２〕ノズルホルダ内のノズル設置数が１〜４基である、〔１〕記載の装置。
〔３〕ノズル１基当たりの被噴霧液体の流量が１〜２００Ｌ／ｈである、〔１〕又は〔２〕記載の装置。
〔４〕中空粒子を製造するための装置である、〔１〕〜〔３〕のいずれか一に記載の装置。
【発明の効果】
【０００７】
本発明の噴霧熱分解装置又は噴霧乾燥装置は、ノズル設置数やノズル１基当たりの噴霧量の調整、設置するノズルの種類を選択することで、乾燥ムラ及び焼成ムラが抑制され、密度のばらつきが抑えられた粒子を簡便に製造することができ、また生産量の調整も容易に行うことができる。更に、本発明の噴霧熱分解装置又は噴霧乾燥装置は、不良ノズル等の交換が容易であるため、保守点検に要する労力や時間を軽減することができる。
【図面の簡単な説明】
【０００８】
【図１】本発明の噴霧熱分解装置の一例を示す模式図である。
【図２】本発明の噴霧乾燥装置の一例を示す模式図である。
【図３】ノズルホルダ設置用穴に装着されたノズルホルダ内に、ノズルが配置されている状態を示す図である
【図４】ノズルホルダ設置用穴が設けられたプレートの一例を示す平面図である。
【図５】ノズルホルダ設置用穴に蓋部品及びノズルホルダが装着され、ノズルホルダ内にノズルが配置されている状態を示す図である。
【図６】ノズルホルダ設置用穴に蓋部品が装着されている状態を示す図である。
【図７】ノズルホルダ設置用穴に装着されたノズルホルダに断熱材が被覆されている状態を示す図である。
【図８】５０％残存強度の測定方法を説明する図である。
【発明を実施するための形態】
【０００９】
以下、添付図面を参照しながら本発明の好適な実施形態を詳細に説明する。なお、図面の説明において同一の要素には同一の符号を付し、重複する説明を省略する。また、図示の便宜上、図面の寸法比率は説明のものと必ずしも一致しない。
【００１０】
〔噴霧熱分解装置〕
図１は、本発明の噴霧熱分解装置の一例を示す模式図である。
噴霧熱分解装置１０は、図１（ａ）に示されるように、加熱炉１と、加熱炉１の端部に配置されたノズル２を備えており、ノズル２はノズルホルダ５内に設置されている。ノズルホルダ５は、プレート３に設けられたノズルホルダ設置用穴４に装着されており、プレート３は、加熱炉１の端面に固定されている。噴霧熱分解装置１０は、図１（ｃ）に示されるように、プレート３に設けられた９個のノズルホルダ設置用穴４に、ノズルホルダ５が９個装着されており、各ノズルホルダ５にはノズル２が１基設置されている。
【００１１】
噴霧熱分解装置１０は、加熱炉１の端部に被噴霧液体を噴霧するノズル２を有し、噴霧されたミスト（液滴）を乾燥、熱分解するための加熱手段７、８を加熱炉１内に有する噴霧熱分解装置である。
加熱炉１の形状は、加熱炉内に旋回流を発生させることができる点で、堅型円筒状が好ましい。
【００１２】
被噴霧液体としては、ノズルによりミスト化して溶媒や分散媒を揮発させ、乾燥・粉粒化させることができるものであれば特に限定されないが、例えば、無機化合物若しくは有機化合物の分散液又は溶液を挙げることができる。
無機化合物としては、例えば、無機塩、金属アルコキシドを挙げられる。より具体的には、アルミニウム塩、チタン塩、マグネシウム塩、アルミノケイ酸塩、アルミニウムアルコキシド、テトラエトキシシラン、テトラメトキシシラン等のケイ酸アルコキシドが挙げられる。また、アルミニウム酸化物、ケイ素酸化物、アルミナ、シリカ、アルミニウム及びケイ素からなる酸化物、チタン酸化物、マグネシウム酸化物、ジルコニウム酸化物、バリウム酸化物、セリウム酸化物、イットリウム酸化物等が挙げられ、これら酸化物を組みあわせた複合酸化物も挙げられる。
有機化合物としては、例えば、ポリエステル、ポリスチレン、ポリアミド、ポリウレタン、ポリオレフィン、ポリ塩化ビニル等の熱可塑性樹脂、フェノール樹脂、尿素樹脂、メラミン樹脂、シリコン樹脂、エポキシ樹脂、不飽和ポリエステル樹脂等の熱硬化性樹脂等を挙げることができる。
【００１３】
被噴霧液体の調製に使用する溶媒としては、例えば、水、有機溶媒が挙げられる。中でも、環境への影響、製造コストの観点から、水が好ましい。
被噴霧液体の濃度は、乾燥ムラ及び焼成ムラ、並びに密度のばらつきの抑制の観点から、０．０１ｍｏｌ／Ｌ〜飽和濃度が好ましく、０．１ｍｏｌ／Ｌ〜０．５ｍｏｌ／Ｌが更に好ましい。
【００１４】
被噴霧液体は、通常ポンプを介して、ノズル２に供給される。
ノズルとしては、２流体ノズル、３流体ノズル、４流体ノズルが挙げられる。なお、流体ノズルの方式には、空気と被噴霧液体とをノズル内部で混合する内部混合方式と、ノズル外部で空気と被噴霧液体を混合する外部混合方式があるが、いずれも採用できる。
【００１５】
噴霧熱分解装置１０は、１つのノズルホルダ５内にノズル２が１基配置されているが、ノズルホルダごとにノズルの収容数を適宜決定することができる。例えば、図３に示すように、１つのノズルホルダ内にノズルを２基又は３基設置することができる。ノズルの収容数は、乾燥ムラ及び焼成ムラ、並びに密度のばらつきの抑制、生産性の観点から、ノズルホルダ１本当たり、１〜４基が好ましく、１〜３基が更に好ましい。
また、１つのノズルホルダ内に複数のノズルを設置する場合、各ノズルは同一でも異なっていてもよい。更に、ノズルホルダごとに異種のノズルを設置することも可能である。
【００１６】
ノズル１基当たりの被噴霧液体の流量は、乾燥ムラ及び焼成ムラ、並びに密度のばらつきの抑制、生産性の観点から１〜２００Ｌ／ｈが好ましく、２〜１００Ｌ／ｈがより好ましく、３〜８０Ｌ／ｈが更に好ましい。
【００１７】
噴霧される液滴の平均粒子径は、０．５〜６０μｍが好ましく、１〜２０μｍがより好ましく、１〜１５μｍが更に好ましい。なお、液滴の平均粒子径は、ノズル噴霧口の形状や空気の圧力によって調整することが可能である。
【００１８】
ノズルホルダの形状は、ノズルを収容できれば特に限定されないが、例えば、角筒、円筒等の筒状の形状を挙げることができる。中でも、円筒形が好ましい。
ノズルホルダの径は、ノズルの径、収容数に応じて適宜選択することが可能であり、特に限定されない。
ノズルホルダの長さは、ノズルのミスト噴霧口が燃焼ガスの吐出口よりも低い位置にある場合、ミストがフレームに直接当たりやすくなり、ミストが局所的に加熱される問題が生じる。このため、ノズルのミスト噴霧口は、燃焼ガスの吐出口よりも高い位置にあるのが好ましい。
例えば円筒形の場合、ノズルホルダの径は、φ５０ｍｍ〜φ１８０ｍｍが好ましく、ノズルホルダの長さは１００ｍｍ〜１５００ｍｍが好ましい。
ノズルホルダの材質は、耐熱性及び耐久性を有すれば特に限定されないが、例えば、金属、鋳物が挙げられる。中でも、耐熱性、耐久性の観点から、金属が好ましい。
【００１９】
ノズルホルダ内にノズルを配置する場合には、ノズルホルダとノズルとの隙間に断熱材を充填することができる。断熱材としては、例えば、セラミック繊維、ガラス繊維、キャスタブルが挙げられ、隙間の大きさに応じて適宜選択することができる。
【００２０】
プレート３は脱着可能であり、噴霧熱分解装置１０は加熱炉１の端面にプレート３が固定されているが、プレート３の固定には、ボルト、ピン、Ｌ字金具等の金具を用いることができる。
プレートの材質は、耐熱性及び耐久性を有すれば特に限定されないが、例えば、金属、鋳物を挙げることができる。中でも、耐熱性、耐久性の観点から、金属が好ましい。
プレートの上側（熱分解炉内側）には、耐熱性を向上させるために、断熱材を取り付けることができる。断熱材としては、例えば、セラミック繊維、ガラス繊維、キャスタブルが挙げられ、プレートの大きさ、ノズルホルダの大きさなどに応じて適宜選択することができる
プレートの大きさ及び厚みは、複数のノズルホルダを装着可能であり、かつ複数のノズルホルダ及びノズルの重量に耐え得る強度を有すれば、適宜設定することができる。
【００２１】
プレート３に設けられたノズルホルダ設置用穴４は、貫通孔である。
ノズルホルダ設置用穴４の大きさは、ノズルホルダの大きさに応じて適宜選択可能であり、特に限定されない。
ノズルホルダ設置用穴４の数は特に限定されないが、噴霧熱分解装置１０の断面積やノズルホルダの大きさにより適宜選択することができる。例えば、実施例で使用した装置（炉の内径φ８００ｍｍ）の場合、１〜２４個の穴を設置することができる。
ノズルホルダ設置用穴４は、図４（ａ）に示されるように、十字中心線上に対象に配置してもよい。また、図４（ｂ）に示されるように、プレート３の平面形状が円形である場合、その外周と同心円上に均等に配置してもよい。このように、ノズルホルダ設置用穴の位置は適宜選択可能であるが、生産性の観点から、対象となるように均等に配置することが好ましい。
【００２２】
本発明の噴霧熱分解装置を使用する際には、先ずプレート３に設けられたノズルホルダ設置用穴４にノズルホルダ５を装着する。この場合、プレート３は、加熱炉１に固定されていても、未固定でもよい。プレートに装着するノズルホルダの使用本数は、生産スケール等により適宜選択可能である。ノズルホルダの使用本数がノズルホルダ設置用穴の数よりも少ない場合には、図５に示されるように、十字中心線上にノズルホルダ５が対象となるようにノズルホルダ設置用穴４に装着することが、乾燥ムラ及び焼成ムラ、並びに密度のばらつきの抑制の観点から好ましい。なお、ノズルホルダ５が装着されていないノズルホルダ設置用穴４には、図５に示されるように、蓋部品６が装着される。
蓋部品６を装着する場合、図６（ａ）に示されるように、プレート３に蓋部品６を装着しても、図６（ｂ）に示されるように、ノズルホルダ設置用穴４にノズルホルダ５を装着し、ノズルホルダ５の端部に蓋部品６を装着してもよい。また、ノズルホルダ５の端部に蓋部品６を装着する場合、ノズルホルダ５の代わりにノズルホルダ５内のノズルを設置する穴のないものも使用することができる。
蓋部品の形状及び大きさは、ノズルホルダ設置用穴やノズルホルダの形状、大きさに応じて適宜選択可能であり、特に限定されない。蓋部品の材質は、耐熱性及び耐久性を有すれば特に限定されないが、例えば、金属、鋳物が挙げられる。中でも、耐熱性、耐久性の観点から、金属が好ましい。
【００２３】
プレートが加熱炉に未固定である場合、プレートにノズルホルダ及び蓋部品のうちのいずれか１以上を装着した後、加熱炉に固定しても、更にノズルをノズルホルダに設置してから、加熱炉に固定してもよく、プレートの固定方法は適宜選択することができる。
ノズルホルダ設置用穴にノズルホルダを固定する場合には、ボルト、ピン、Ｌ字金具等の金具で固定することができる。また、蓋部品をプレートやノズルホルダに固定する場合には、プレートに設けられた穴の外周面やノズルホルダの端部の外周面に溝を設けてネジ式としても、ボルト、ピン、Ｌ字金具等の金具で固定してもよい。
【００２４】
ノズルホルダには、耐熱性及び耐久性の観点から、断熱材を被覆してもよい。断熱材９は、図７（ａ）に示されるように、ノズルホルダ設置用穴４に装着されたノズルホルダ５全体を被覆しても、図７（ｂ）に示されるように、ノズルホルダ設置用穴４に装着された個々のノズルホルダ５を被覆してもよい。断熱材としては、例えば、セラミック繊維、ガラス繊維、キャスタブルが挙げられる。
【００２５】
噴霧熱分解装置１０のノズル２は、加熱炉の底部に上向きに被噴霧液体のミストを噴霧するように配置されており、上向きに噴霧されたミストは加熱手段７により加熱され、被噴霧液体の液滴から溶媒が蒸発し乾燥された液滴及び粒子が析出する。そして、加熱手段８は、乾燥された液滴及び粒子を熱分解して微粒子を形成する。
【００２６】
加熱手段７としては、例えば、燃焼バーナー、熱風ヒータ、電気ヒータが挙げられる。中でも、燃焼バーナーが好ましい。加熱手段７は、１基又は２基以上有することが可能である。なお、燃焼バーナー、熱風ヒータ及び電気ヒータは、一般的に販売されているものあれば、いずれも使用することができる。
加熱手段７の温度は、被噴霧液体の噴霧液滴から溶媒が蒸発する温度であれば特に限定されないが、加熱炉１内で粒子が析出する必要性から、室温〜１３００℃の範囲内であって、０．１秒から１分程度で当該蒸発及び析出が生じる温度であるのが好ましい。加熱手段７の温度は、より好ましくは１００℃〜１２００℃であり、更に好ましくは１５０℃〜１１００℃であり、より更に好ましくは２００〜１１００℃である。
【００２７】
加熱手段８としては、加熱手段７と同様に、燃焼バーナー、熱風ヒータ、電気ヒータを挙げることができる。中でも、燃焼バーナーが好ましい。加熱手段８は、１基又は２基以上有することが可能であり、例えば、加熱炉内の温度がノズル２の設置位置から加熱炉１の出口方向に順に高くなるように加熱手段８を複数基設けることもできる。なお、燃焼バーナー、熱風ヒータ及び電気ヒータは、一般的に販売されているものあれば、いずれも使用することができる。
加熱手段８の温度は、乾燥された液滴及び粒子の熱分解反応が進行する温度であれば特に限定されないが、６００℃以上が好ましい。また、０．１秒〜１分程度で熱分解反応が終了する必要性から、７００℃以上が好ましく、８００℃以上がより好ましく、９００℃以上が更に好ましく、１０００℃以上がより更に好ましい。なお、経済性の点から、１５００℃以下が好ましい。
【００２８】
加熱炉１内を通過した微粒子は、加熱炉１の上部で回収される。ここで、微粒子を効率的に回収するには、加熱炉頂部に冷却エアーを導入可能な空間を設け、ここに冷却エアーを導入することにより、冷却回収することが好ましい。冷却エアーの導入手段としては、冷却エアーの吸入部の設置、ファンやブロアから冷却エアーを送り込む手段等を採用することができ、これらは複数の箇所から行なってもよい。また、冷却エアーの変わりに、水冷してもよく、イオン交換水や上水等を用いることができる。目的微粒子の回収には、バグフィルター等を用いることができる。
このバグフィルターの前段に、バグフィルターの負荷低減、粗粒や異物回収のため、サイクロンを配置してもよく、この他に熱交換器を配置すると、余熱利用や排ガス量の低減ができるため好ましい。
また、微粒子の回収は、高性能サイクロン粉体回収機やバグフィルターを用いた粉体回収装置を用いることができる。この後段に、必要に応じて、スクラバーなどの除塵、浄化設備を配置してもよい。回収した微粒子は、ふるいを通過させる等の分級操作を行うことにより調整をすることができる。
【００２９】
本発明の噴霧熱分解装置は、被噴霧液体の種類や製造スケール等に応じて、ノズル設置数やノズル１基当たりの噴霧量を調整し、ノズルホルダ内に設置するノズルの種類を選択することで、乾燥ムラ及び焼成ムラが抑制され、密度のばらつきが抑えられた粒子を簡便に製造することができる。
【００３０】
本発明の噴霧熱分解装置を用いて製造される粒子は、例えば、以下の特性を具備することができる。
粒子密度は、０．１〜２．５ｇ／ｃｍ3が好ましく、０．２〜１．０ｇ／ｃｍ3がより好ましく、０．３〜０．６ｇ／ｃｍ3が更に好ましい。なお、粒子密度は、ＪＩＳ  Ｒ  １６２０「ファインセラミックス粉末の粒子密度測定方法」の気体置換法により測定できる。
また、粒子の５０％残存強度は、1〜１０００ＭＰａが好ましく、２〜２５０ＭＰａがより好ましく、４〜５０ＭＰａが更に好ましい。なお、本明細書において「５０％残存強度」とは、後掲の実施例に記載の方法により測定されるものをいう。
【００３１】
また、本発明の噴霧熱分解装置は、中空粒子の製造に好適である。中空粒子としては、有機物中空粒子、無機物中空粒子及びそれらの複合中空粒子を問わないが、無機物中空粒子が好ましい。無機物中空粒子としては、無機酸化物中空粒子がより好ましい。中空粒子の好ましい例としては、酸化物中空粒子であって、形状がほぼ球状（平均円形度０．８５以上）であり、平均粒子径が０．５〜２０μｍのものが挙げられる。平均粒子径は、ＪＩＳ Ｒ １６２９「ファインセラミックス原料のレーザ回折・散乱法による粒子径分布測定方法」に準拠して測定される。
【００３２】
中空粒子の製造に好適な噴霧熱分解装置の一例を図１（ｂ）に示す。
図１（ｂ）に示す噴霧熱分解装置２０は、加熱手段７として燃焼バーナー７ａが設けられている。燃焼バーナー７ａは、燃焼バーナーの火炎がミストに直接接触することを防止するために、燃焼バーナーの火炎が炉内に入らないように配置されており、燃焼バーナー７ａから発生した燃焼ガスにより加熱炉１内に強力な旋回流が生じる。この旋回流は、加熱炉の下方から上方に進行するため、ノズルから噴霧されたミストもこの旋回流により旋回しながら上昇する。このように、ミストは、燃焼バーナーから生じた火炎に直接接触することなく、炉の長さよりも長い距離、炉内に滞留し、長時間の熱分解反応を受けることができるため、乾燥ムラ及び焼成ムラをより一層抑制することができる。
このような構成を採用することで、均質な中空粒子を高収率で得ることの可能な内燃焼式の噴霧熱分解装置２０とすることができる。なお、加熱炉１、ノズル２、プレート３、ノズルホルダ設置用穴４、ノズルホルダ５、蓋部品６及び加熱手段８の具体的構成は、噴霧熱分解装置１０において説明したとおりである。
【００３３】
以上、本発明をその実施形態に基づいて詳細に説明した。しかし、本発明は上記実施形態に限定されるものではない。本発明は、その要旨を逸脱しない範囲で様々な変形が可能である。例えば、上記実施形態では、噴霧乾燥装置１０は、図１に示されるように、ノズル２が装置の下部に設置されているが、装置の上部に設置されていても構わない。また、噴霧乾燥装置１０は、ノズル２、加熱手段７、加熱手段８の順に並んでいれば、縦型に限らず、横型や斜め型であってもよい。
【００３４】
〔噴霧乾燥装置〕
図２は、本発明の噴霧乾燥装置の一例を示す模式図であり、図２（ｂ）は、図２（ａ）の下方から見た噴霧乾燥装置の平面図である。
噴霧乾燥装置３０は、図２（ａ）に示されるように、加熱炉１と、加熱炉１の端部に配置されたノズル２を備え、ノズル２はノズルホルダ５内に収容され、ノズルホルダ５にはプレート３に設けられたノズルホルダ設置用穴４に装着され、プレート３は加熱炉１の端面に固定されている点において、噴霧熱分解装置１０と同様の構成を有している。また、噴霧乾燥装置３０は、図２（ｂ）に示されるように、プレート３に設けられた９個のノズルホルダ設置用穴４に、ノズルホルダ５が９個装着されており、各ノズルホルダ５にはノズル２が１基収容されている点でも、噴霧熱分解装置１０と同様である。即ち、噴霧乾燥装置３０は、加熱手段７の上方に更に加熱手段８を有しない点で、噴霧熱分解装置１０と相違する。なお、加熱炉１、ノズル２、プレート３、ノズルホルダ設置用穴４、ノズルホルダ５、蓋部品６及び加熱手段７の具体的構成は、前述の噴霧熱分解装置において説明したとおりである。
【００３５】
本発明の噴霧乾燥装置を適用するのに好適な被噴霧液体としては、前述の噴霧熱分解装置において例示した無機化合物若しくは有機化合物の分散液又は溶液に加え、例えば、洗剤・石鹸等、染料・顔料等、殺虫剤、除草剤、殺菌剤その他の農薬類、スキムミルク、インスタントコーヒー、ココア、麦芽抽出物、でんぷん、その他の食品類、天然および合成香料、抗生物質、血清、血漿、各種ビタミン、ペニシリン、ブドウ糖、各種アミノ酸等の医薬品の分散液又は溶液を挙げることができる。
【００３６】
被噴霧液体の調製に使用する溶媒としては、水、有機溶媒が挙げられ、適宜選択することができる。また、被噴霧液体の濃度は、０．０１ｍｏｌ／Ｌ〜飽和濃度が好ましく、０．１ｍｏｌ／Ｌ〜０．５ｍｏｌ／Ｌが更に好ましい。
【実施例】
【００３７】
以下、実施例を挙げて、本発明の実施の形態をさらに具体的に説明する。但し、本発明は、下記の実施例に限定されるものではない。
【００３８】
比較例１
図１（ｂ）に示す噴霧熱分解装置において、プレートのノズルホルダ設置用穴の中央にノズルホルタ１本を装着し、このノズルホルダ内にノズル１基を設置した。なお、残りのノズルホルダ設置用穴には、蓋部品を装着した。次いで、ノズルホルダ内にノズルを収容したプレートを加熱炉（炉の内径φ８００ｍｍ、有効高さ４，０００ｍｍ）に固定した。次いで、蒸留水１Ｌ当たり硝酸アルミニウムを０．０４ｍｏｌ、オルトケイ酸テトラエチルを０．１６ｍｏｌ溶解したアルミニウム及びケイ素の混合水溶液を溶液タンクに投入した。投入された水溶液をポンプでノズルに送液し、２５０Ｌ／ｈの流量でノズルからミスト状に噴霧した。また、ミストは、フレームと接触しないように噴霧した。ミストが通過する加熱炉の内部温度は１０００℃とした。その後、バグフィルターを用いて粒子を回収した。得られた粒子は、ミストとフレームを接触させなかったため、中空形状を有していた。得られた中空粒子について、粒子密度及び５０％残存強度を測定した。
【００３９】
実施例１〜６
表１に示す本数のノズルをノズルホルダに１本ずつ設置し、各ノズルから表１に示す流量で混合水溶液を噴霧したこと以外は、比較例１と同様の操作により中空粒子を回収した。得られた中空粒子について、粒子密度及び５０％残存強度を測定した。
【００４０】
参考例１
表１に示すノズルをノズルホルダに設置し、ノズルから表１に示す流量で混合水溶液を噴霧したこと以外は、比較例１と同様の操作により中空粒子を回収した。得られた中空粒子について、粒子密度及び５０％残存強度を測定した。
【００４１】
１．粒子密度の測定
粒子密度は、乾式自動密度計「アキュピック（島津製作所製）」により測定した。
【００４２】
２．５０％残存強度の測定
得られた中空粒子を用いて、以下の操作を行った。
（１）サンプル：エタノール＝４：１で混合する（サンプルのみでは、加圧によるペレット成形が困難なため、エタノールを混合した）。
（２）混合したサンプルを冶具へ一定量投入する。
（３）圧力成形機へ載せ、油圧で所定の圧力をかける（図８）。
（４）所定の圧力にて１分間、静置する。
（５）成形機からサンプル（ペレット）を取り外す。
８０℃で２時間以上乾燥する（熱風乾燥機で、（１）で混合したエタノールを除去）。
（６）密度を測定する。
【００４３】
そして、得られた密度、質量、破壊前の体積、破壊後の体積から、下記式（ａ）及び（ｂ）に基いて、中空構造残存率を求めた。
【００４４】
中空構造残存率ｐは、以下のように求めた。
質量をｍ、破壊前の体積をＶ、破壊後の体積をｖとする。このとき、破壊前の密度（見かけ密度）ｘ＝ｍ／Ｖ、破壊後の密度（真密度）ｙ＝ｍ／ｖとなる。中空構造残存率をｐとすると、見掛け密度ρは以下で表される。
ｍ／（（Ｖ×ｐ＋ｖ×（１−ｐ））＝ρ・・・（ａ）
これをｐについて解くと、以下のようになる。
ｐ＝（１−ρ／ｙ）／ρ×（１／ｘ−１／ｙ）・・・（ｂ）
【００４５】
中空構造残存率ｐと圧力の関係を示したグラフを作成し、グラフから５０％残存時の圧力を求め、その値を中空粒子の５０％残存強度とする。その結果を表１に示す。
【００４６】
【表１】
2020049436.tif 000003
【００４７】
比較例１と、実施例１及び２は、総噴霧量が２５０Ｌ／ｈで同一であるが、２５０Ｌ／ｈをノズル１本で噴霧した比較例１に比べて、ノズルを複数基設置して２５０Ｌ／ｈを噴霧した実施例１及び２は、粒子密度が小さく、５０％残存強度が大きくなった。この結果から、実施例１及び２は、ノズルを複数基設置することにより、ミストの乾燥ムラや焼成ムラが抑制されたといえる。
また、実施例３〜６は、参考例１の噴霧量（６Ｌ／ｈ）の１０倍に相当する噴霧量（６０Ｌ／ｈ）であるが、粒子密度、５０％残存強度ともに、参考例１と同程度であった。この結果から、実施例３〜６は、噴霧量が多くても、ノズルを複数基設置することにより、ミストの乾燥ムラや焼成ムラが抑制されたといえる。
【符号の説明】
【００４８】
１          加熱炉
２          ノズル
３          プレート
４          ノズルホルダ設置用穴
５          ノズルホルダ
６          蓋備品
７、８      加熱装置
７ａ        燃焼バーナー
９          断熱材
１０、２０    噴霧熱分解装置
３０          噴霧乾燥装置
【図１】
2020049436.tif 000004
【図２】
2020049436.tif 000005
【図３】
2020049436.tif 000006
【図４】
2020049436.tif 000007
【図５】
2020049436.tif 000008
【図６】
2020049436.tif 000009
【図７】
2020049436.tif 000010
【図８】
2020049436.tif 000011